(57)【要約】ユーザがデバイスにデジタルコンテンツのレイアウトを編集してプリントデータを生成可能にするＸＨＴＭＬデータを生成する方法及び装置である。【選択図】図１Ａ
2009533749.tif 000002
【特許請求の範囲】
【請求項１】
ＸＨＴＭＬデータを生成するデバイスのＸＨＴＭＬ−Ｐｒｉｎｔデータ生成方法であって、
一つ以上のデジタルコンテンツファイルを選択するステップと、
前記選択された一つ以上のデジタルコンテンツファイルに対するレイアウトを編集するステップと、
前記編集されたレイアウトのＸＨＴＭＬ−Ｐｒｉｎｔデータを生成するステップと、を含むことを特徴とするデバイスのＸＨＴＭＬ−Ｐｒｉｎｔデータ生成方法。
【請求項２】
前記レイアウトを編集するステップは、
前記選択された一つ以上のデジタルコンテンツファイルを前記レイアウトに挿入することを特徴とする、請求項１に記載のデバイスのＸＨＴＭＬ−Ｐｒｉｎｔデータ生成方法。
【請求項３】
前記レイアウトを編集するステップは、
前記選択された一つ以上のデジタルコンテンツファイルに対する前記レイアウトを編集するためのインターフェースを提供するステップと、
前記提供されたインターフェースを通じて、前記選択された一つ以上のデジタルコンテンツファイルに対する前記レイアウトを編集するための入力を受けるステップと、を含むことを特徴とする、請求項１に記載のデバイスのＸＨＴＭＬ−Ｐｒｉｎｔデータ生成方法。
【請求項４】
前記インターフェースは、
前記レイアウト及び前記選択されたデジタルコンテンツファイルの目録を分離して表示することを特徴とする、請求項３に記載のデバイスのＸＨＴＭＬ−Ｐｒｉｎｔデータ生成方法。
【請求項５】
前記レイアウトを形成する前記選択された一つ以上のデジタルコンテンツファイルは、イメージコンテンツを含み、
前記レイアウトを編集するステップは、
前記レイアウト内での前記イメージコンテンツの位置、前記イメージコンテンツのサイズ、及び／または前記イメージコンテンツの回転角度を設定することを特徴とする、請求項１に記載のデバイスのＸＨＴＭＬ−Ｐｒｉｎｔデータ生成方法。
【請求項６】
前記選択された一つ以上のデジタルコンテンツファイルは、テキストコンテンツを含み、
前記レイアウトを編集するステップは、
前記テキストコンテンツのコンテンツ、前記レイアウト内での前記テキストコンテンツの位置、前記テキストコンテンツの領域のサイズ、及び／または前記テキストコンテンツの属性を設定することを特徴とする、請求項１に記載のデバイスのＸＨＴＭＬ−Ｐｒｉｎｔデータ生成方法。
【請求項７】
前記一つ以上のデジタルコンテンツファイルを挿入するステップは、
前記選択された一つ以上のデジタルコンテンツファイルの目録から、前記一つ以上のデジタルコンテンツファイルを選択することを特徴とする、請求項２に記載のデバイスのＸＨＴＭＬ−Ｐｒｉｎｔデータ生成方法。
【請求項８】
前記一つ以上のデジタルコンテンツファイルを選択するステップは、
前記選択された一つ以上のデジタルコンテンツファイルの目録から、前記一つ以上のデジタルコンテンツファイルを前記レイアウト上でドラグ及びドロップすることを特徴とする、請求項７に記載のデバイスのＸＨＴＭＬ−Ｐｒｉｎｔデータ生成方法。
【請求項９】
前記レイアウトを編集するステップは、
前記レイアウトを形成する前記選択された一つ以上のデジタルコンテンツファイルのデジタルコンテンツのサイズ及び位置を線及び／または領域で表示することを特徴とする、請求項１に記載のデバイスのＸＨＴＭＬ−Ｐｒｉｎｔデータ生成方法。
【請求項１０】
前記レイアウトを編集するステップは、
前記レイアウトを形成する前記選択された一つ以上のデジタルコンテンツファイルの前記コンテンツファイルに対応する識別子を表示することを特徴とする、請求項１に記載のデバイスのＸＨＴＭＬ−Ｐｒｉｎｔデータ生成方法。
【請求項１１】
前記レイアウトを編集するステップは、
ユーザが前記選択された一つ以上のデジタルコンテンツファイルの目録から所定のデジタルコンテンツファイルを選択すれば、前記レイアウト内で前記所定のデジタルコンテンツファイルを区別して表示することを特徴とする、請求項７に記載のデバイスのＸＨＴＭＬ−Ｐｒｉｎｔデータ生成方法。
【請求項１２】
前記一つ以上のデジタルコンテンツファイルを挿入するステップは、
第１デジタルコンテンツファイルを前記レイアウト内に１回以上挿入することを特徴とする、請求項２に記載のデバイスのＸＨＴＭＬ−Ｐｒｉｎｔデータ生成方法。
【請求項１３】
前記一つ以上のデジタルコンテンツファイルを編集するステップは、
前記レイアウトを形成する前記選択された一つ以上のデジタルコンテンツファイルの第１デジタルコンテンツファイルを前記レイアウトから編集及び／または削除することを特徴とする、請求項１に記載のデバイスのＸＨＴＭＬ−Ｐｒｉｎｔデータ生成方法。
【請求項１４】
前記編集されたレイアウトのプレビューを表示するステップをさらに含むことを特徴とする、請求項１に記載のデバイスのＸＨＴＭＬ−Ｐｒｉｎｔデータ生成方法。
【請求項１５】
前記ＸＨＴＭＬ−Ｐｒｉｎｔデータを生成するステップは、
前記編集されたレイアウト情報を保存し、前記保存されたレイアウト情報を前記ＸＨＴＭＬ−Ｐｒｉｎｔデータとして生成することを特徴とする、請求項１に記載のデバイスのＸＨＴＭＬ−Ｐｒｉｎｔデータ生成方法。
【請求項１６】
前記生成されたＸＨＲＭＬ−Ｐｒｉｎｔデータを印刷するステップをさらに含むことを特徴とする、請求項１に記載のデバイスのＸＨＴＭＬ−Ｐｒｉｎｔデータ生成方法。
【請求項１７】
前記生成されたＨＸＴＭＬ−Ｐｒｉｎｔデータを画像形成装置に伝送するステップをさらに備えることを特徴とする、請求項１に記載のデバイスのＸＨＴＭＬ−Ｐｒｉｎｔデータ生成方法。
【請求項１８】
前記一つ以上のデジタルコンテンツファイルを選択するステップは、
複数のデジタルコンテンツファイルを検索するステップと、
前記複数のデジタルコンテンツファイルから前記一つ以上のデジタルコンテンツファイルを選択するステップと、を含むことを特徴とする、請求項１に記載のデバイスのＸＨＴＭＬ−Ｐｒｉｎｔデータ生成方法。
【請求項１９】
前記一つ以上のデジタルコンテンツファイルを選択するステップは、
前記デバイスの保存部から前記複数のデジタルコンテンツファイルを検索するステップ、及び／または有線または無線通信の方法により前記複数のデジタルコンテンツファイルを検索するステップをさらに含むことを特徴とする、請求項１８に記載のデバイスのＸＨＴＭＬ−Ｐｒｉｎｔデータ生成方法。
【請求項２０】
前記デバイスは、
モバイルデバイスであることを特徴とする、請求項１に記載のデバイスのＸＨＴＭＬ−Ｐｒｉｎｔデータ生成方法。
【請求項２１】
前記デバイスは、
画像をキャプチャーし、前記キャプチャーされた画像からデジタルコンテンツファイルを生成するカメラであることを特徴とする、請求項１に記載のデバイスのＸＨＴＭＬ−Ｐｒｉｎｔデータ生成方法。
【請求項２２】
請求項１に記載のデバイスのＸＨＴＭＬ−Ｐｒｉｎｔデータ生成方法をコンピュータに実行させるためのプログラムを記録したコンピュータ読取可能な記録媒体。
【請求項２３】
ＸＨＴＭＬデータを生成するデバイスのＸＨＴＭＬ−Ｐｒｉｎｔデータ生成装置であって、
一つ以上のデジタルコンテンツファイルを選択するデータ選択部と、
前記選択された一つ以上のデジタルコンテンツファイルに対するレイアウトを編集するレイアウト編集部と、
前記編集されたレイアウトのＸＨＴＭＬ−Ｐｒｉｎｔデータを生成するデータ生成部と、
を備えることを特徴とするデバイスのＸＨＴＭＬ−Ｐｒｉｎｔデータ生成装置。
【請求項２４】
複数のデジタルコンテンツファイルを検索するコンテンツ検索部をさらに備えることを特徴とする、請求項２３に記載のデバイスのＸＨＴＭＬ−Ｐｒｉｎｔデータ生成装置。
【請求項２５】
前記複数のデジタルコンテンツファイルを保存するコンテンツ保存部をさらに備え、
前記コンテンツ検索部は、前記コンテンツ保存部から前記複数のデジタルコンテンツファイルを検索することを特徴とする、請求項２４に記載のデバイスのＸＨＴＭＬ−Ｐｒｉｎｔデータ生成装置。
【請求項２６】
前記コンテンツ検索部は、有線または無線の通信方法により、外部の保存部から前記複数のデジタルコンテンツファイルを検索することを特徴とする、請求項２４に記載のデバイスのＸＨＴＭＬ−Ｐｒｉｎｔデータ生成装置。
【請求項２７】
前記データ選択部は、
前記コンテンツ検索部により検索された前記複数のデジタルコンテンツファイルから前記一つ以上のデジタルコンテンツファイルを選択するためのユーザ入力を受けることを特徴とする、請求項２４に記載のデバイスのＸＨＴＭＬ−Ｐｒｉｎｔデータ生成装置。
【請求項２８】
前記レイアウト編集部は、
前記選択された一つ以上のデジタルコンテンツファイルから一つ以上のデジタルコンテンツファイルを前記レイアウトに挿入するための入力を受けることを特徴とする、請求項２３に記載のデバイスのＸＨＴＭＬ−Ｐｒｉｎｔデータ生成装置。
【請求項２９】
前記レイアウト編集部は、
前記選択された一つ以上のデジタルコンテンツファイルに対する前記レイアウトを編集するためのインターフェースを提供するインターフェース提供部と、
前記提供されたインターフェースを通じて、前記選択された一つ以上のデジタルコンテンツファイルに対する前記レイアウトを編集するための入力を受ける編集入力部と、
を備えることを特徴とする、請求項２３に記載のデバイスのＸＨＴＭＬ−Ｐｒｉｎｔデータ生成装置。
【請求項３０】
前記インターフェース提供部は、
前記選択された一つ以上のデジタルコンテンツファイルの目録を表示し、前記レイアウトを形成する前記選択された一つ以上のデジタルコンテンツファイルのうちの一つ以上に対応するレイアウトの識別子を表示することを特徴とする、請求項２９に記載のデバイスのＸＨＴＭＬ−Ｐｒｉｎｔデータ生成装置。
【請求項３１】
前記インターフェース提供部は、前記レイアウトを形成する前記選択された一つ以上のデジタルコンテンツファイルのそれぞれのサイズ及び位置を線及び／または領域で表示することを特徴とする、請求項２９に記載のデバイスのＸＨＴＭＬ−Ｐｒｉｎｔデータ生成装置。
【請求項３２】
前記選択された一つ以上のデジタルコンテンツファイルは、イメージコンテンツを含み、
前記編集入力部は、
前記レイアウトで前記イメージコンテンツの位置、前記イメージコンテンツのサイズ、及び前記イメージコンテンツの回転角度のうち選択可能な入力を受けることを特徴とする、請求項２９に記載のデバイスのＸＨＴＭＬ−Ｐｒｉｎｔデータ生成装置。
【請求項３３】
前記選択された一つ以上のデジタルコンテンツファイルは、テキストコンテンツを含み、
前記編集入力部は、
前記テキストコンテンツのコンテンツ、前記レイアウト内での前記テキストコンテンツの位置、前記テキストコンテンツの領域のサイズ、及び前記テキストコンテンツの属性のうち選択可能な入力を受けることを特徴とする、請求項２９に記載のデバイスのＸＨＴＭＬ−Ｐｒｉｎｔデータ生成装置。
【請求項３４】
前記レイアウト編集部は、
前記選択された一つ以上のデジタルコンテンツファイルから第１デジタルコンテンツファイルを１回以上前記レイアウトに挿入するための入力を受けることを特徴とする、請求項２３に記載のデバイスのＸＨＴＭＬ−Ｐｒｉｎｔデータ生成装置。
【請求項３５】
前記編集されたレイアウトのプレビューを表示するプレビュー部をさらに備えることを特徴とする、請求項２３に記載のデバイスのＸＨＴＭＬ−Ｐｒｉｎｔデータ生成装置。
【請求項３６】
前記データ生成部により生成された前記ＸＨＴＭＬ−Ｐｒｉｎｔデータを画像形成装置に伝送する伝送部をさらに備えることを特徴とする、請求項２３に記載のデバイスのＸＨＴＭＬ−Ｐｒｉｎｔデータ生成装置。
【請求項３７】
前記デバイスは、モバイルデバイスであることを特徴とする、請求項２３に記載のデバイスのＸＨＴＭＬ−Ｐｒｉｎｔデータ生成装置。
【請求項３８】
前記デバイスは、画像をキャプチャーし、前記キャプチャーされた画像から前記デジタルコンテンツファイルを生成するカメラであることを特徴とする、請求項２３に記載のデバイスのＸＨＴＭＬ−Ｐｒｉｎｔデータ生成装置。
【請求項３９】
ＸＨＴＭＬデータを生成するデバイスのＸＨＴＭＬ−Ｐｒｉｎｔデータ生成方法であって、
一つ以上のデジタルコンテンツファイルのレイアウトを編集するステップと、
前記編集されたレイアウトのＸＨＴＭＬ−Ｐｒｉｎｔデータを生成するステップと、を含むことを特徴とするデバイスのＸＨＴＭＬ−Ｐｒｉｎｔデータ生成方法。
【請求項４０】
前複数のデジタルコンテンツファイルから前記一つ以上のデジタルコンテンツファイルを選択するステップをさらに含むことを特徴とする、請求項３９に記載のデバイスのＸＨＴＭＬ−Ｐｒｉｎｔデータ生成方法。
【請求項４１】
前記レイアウトを編集するステップは、
前記選択された一つ以上のデジタルコンテンツファイルを前記レイアウトに挿入することを特徴とする、請求項４０に記載のデバイスのＸＨＴＭＬ−Ｐｒｉｎｔデータ生成方法。
【請求項４２】
前記一つ以上のデジタルコンテンツファイルは、イメージコンテンツを含み、
前記レイアウトを編集するステップは、
前記レイアウト内での前記イメージコンテンツの位置、前記イメージコンテンツのサイズ、及び／または前記イメージコンテンツの回転角度を設定することを特徴とする、請求項３９に記載のデバイスのＸＨＴＭＬ−Ｐｒｉｎｔデータ生成方法。
【請求項４３】
前記一つ以上のデジタルコンテンツファイルは、テキストコンテンツを含み、
前記レイアウトを編集するステップは、
前記テキストコンテンツのコンテンツ、前記レイアウト内での前記テキストコンテンツの位置、前記テキストコンテンツの領域のサイズ、及び／または前記テキストコンテンツの属性を設定することを特徴とする、請求項３９に記載のデバイスのＸＨＴＭＬ−Ｐｒｉｎｔデータ生成方法。
【請求項４４】
前記レイアウトを編集するステップは、
前記レイアウトを形成する前記一つ以上のデジタルコンテンツファイルのそれぞれのサイズ及び位置を線及び／または領域で表示することを特徴とする、請求項３９に記載のデバイスのＸＨＴＭＬ−Ｐｒｉｎｔデータ生成方法。
【請求項４５】
前記レイアウトを編集するステップは、
前記レイアウトを形成する前記一つ以上のデジタルコンテンツファイルのそれぞれに対応する識別子を表示することを特徴とする、請求項３９に記載のデバイスのＸＨＴＭＬ−Ｐｒｉｎｔデータ生成方法。
【請求項４６】
前記一つ以上のデジタルコンテンツファイルを編集するステップは、
前記レイアウトを形成する前記一つ以上のデジタルコンテンツファイルの第１デジタルコンテンツファイルを前記レイアウトから編集及び／または削除することを特徴とする、請求項３９に記載のデバイスのＸＨＴＭＬ−Ｐｒｉｎｔデータ生成方法。
【請求項４７】
前記ＸＨＴＭＬ−Ｐｒｉｎｔデータを生成するステップは、
前記編集されたレイアウト情報を保存し、前記保存されたレイアウト情報を前記ＸＨＴＭＬ−Ｐｒｉｎｔデータとして生成することを特徴とする、請求項３９に記載のデバイスのＸＨＴＭＬ−Ｐｒｉｎｔデータ生成方法。
【請求項４８】
前記生成されたＸＨＴＭＬ−Ｐｒｉｎｔデータを画像形成装置に伝送するステップをさらに含むことを特徴とする、請求項３９に記載のデバイスのＸＨＴＭＬ−Ｐｒｉｎｔデータ生成方法。
【請求項４９】
請求項３９に記載のデバイスのＸＨＴＭＬ−Ｐｒｉｎｔデータ生成方法をコンピュータに実行させるためのプログラムを記録したコンピュータ読取可能な記録媒体。
【請求項５０】
ＸＨＴＭＬデータを生成するデバイスのＸＨＴＭＬ−Ｐｒｉｎｔデータ生成装置であって、
一つ以上のデジタルコンテンツファイルの印刷に使用するためのレイアウトを編集するレイアウト編集部と、
前記編集されたレイアウトのＸＨＴＭＬ−Ｐｒｉｎｔデータを生成するデータ生成部と、
を備えることを特徴とするデバイスのＸＨＴＭＬ−Ｐｒｉｎｔデータ生成装置。
【請求項５１】
複数のデジタルコンテンツファイルを検索するコンテンツ検索部をさらに備えることを特徴とする、請求項５０に記載のデバイスのＸＨＴＭＬ−Ｐｒｉｎｔデータ生成装置。
【請求項５２】
前記コンテンツ検索部により検索された前記複数のデジタルコンテンツファイルから前記一つ以上のデジタルコンテンツファイルを選択する入力を受けるデータ選択部をさらに備えることを特徴とする、請求項５１に記載のデバイスのＸＨＴＭＬ−Ｐｒｉｎｔデータ生成装置。
【請求項５３】
前記レイアウト編集部は、
前記複数のデジタルコンテンツファイルから前記一つ以上のデジタルコンテンツファイルを前記レイアウトに挿入するための入力を受けることを特徴とする、請求項５０に記載のデバイスのＸＨＴＭＬ−Ｐｒｉｎｔデータ生成装置。
【請求項５４】
前記レイアウト編集部は、
前記一つ以上のデジタルコンテンツファイルに対するレイアウトを編集するためのインターフェースを提供するインターフェース提供部と、
前記提供されたインターフェースを通じて、前記一つ以上のデジタルコンテンツファイルに対するレイアウトを編集する入力を受ける編集入力部と、
を備えることを特徴とする、請求項５０に記載のデバイスのＸＨＴＭＬ−Ｐｒｉｎｔデータ生成装置。
【請求項５５】
前記インターフェース提供部は、
前記一つ以上のデジタルコンテンツファイルの目録を表示し、前記レイアウトを形成する前記一つ以上のデジタルコンテンツファイルのそれぞれに対応するに識別子を前記レイアウト上に表示することを特徴とする、請求項５４に記載のデバイスのＸＨＴＭＬ−Ｐｒｉｎｔデータ生成装置。
【請求項５６】
前記インターフェース提供部は、前記レイアウトを形成する前記一つ以上のデジタルコンテンツファイルのそれぞれのサイズ及び位置を線及び／または領域で表示することを特徴とする、請求項５４に記載のデバイスのＸＨＴＭＬ−Ｐｒｉｎｔデータ生成装置。
【請求項５７】
前記一つ以上のデジタルコンテンツファイルは、イメージコンテンツを含み、
前記編集入力部は、
前記レイアウト内での前記イメージコンテンツの位置、前記イメージコンテンツのサイズ、及び／または前記イメージコンテンツの回転角度を設定する入力を受けることを特徴とする、請求項５４に記載のデバイスのＸＨＴＭＬ−Ｐｒｉｎｔデータ生成装置。
【請求項５８】
前記一つ以上のデジタルコンテンツファイルは、テキストコンテンツを含み、
前記編集入力部は、
前記テキストコンテンツのコンテンツ、前記レイアウト内での前記テキストコンテンツの位置、前記テキストコンテンツの領域のサイズ、及び／または前記テキストコンテンツの属性を設定する入力を受けることを特徴とする、請求項５４に記載のデバイスのＸＨＴＭＬ−Ｐｒｉｎｔデータ生成装置。
【請求項５９】
前記データ生成部により生成された前記ＸＨＴＭＬ−Ｐｒｉｎｔデータを画像形成装置に伝送する伝送部をさらに備えることを特徴とする、請求項５０に記載のデバイスのＸＨＴＭＬ−Ｐｒｉｎｔデータ生成装置。
【発明の詳細な説明】
【技術分野】
【０００１】
本発明の一実施例は、デバイスに係り、さらに詳細には、デバイスでコンテンツのレイアウトを編集してＸＨＴＭＬ（Extensible Hypertext Markup Language）−Ｐｒｉｎｔデータを生成する方法及び装置に関する。
【背景技術】
【０００２】
ユーザがデバイスを利用してコンテンツを印刷しようとする場合、ユーザは、デバイスに保存済みのレイアウトのうち印刷を所望するレイアウトを選択し、デバイスは、ユーザから選択されたレイアウトを適用してマークアップ生成をしてＸＨＴＭＬ−Ｐｒｉｎｔデータを生成する。
【発明の開示】
【発明が解決しようとする課題】
【０００３】
しかし、ユーザがレイアウトを選択するに当たって、一般的に、デバイスに既保存のテンプレートを利用してレイアウトを編集できるだけである。したがって、ユーザがレイアウトを編集して印刷しようとする場合、既保存のテンプレート以外に利用できないので、ユーザの所望する印刷結果が得難いという問題点を有する。
【０００４】
本発明が解決しようとする課題は、本発明の一実施例によって、デバイス上でユーザがコンテンツに対するレイアウトを編集して、ＸＨＴＭＬ−Ｐｒｉｎｔデータを生成するデバイスのＸＨＴＭＬ−Ｐｒｉｎｔデータ生成方法及び装置を提供することである。
【課題を解決するための手段】
【０００５】
上記課題を達成するための本発明の一実施例によるデバイスのＸＨＴＭＬ−Ｐｒｉｎｔデータ生成方法は、一つ以上のデジタルコンテンツファイルを選択するステップ、上記選択された一つ以上のコンテンツファイルに対するレイアウトを編集するステップ、及び上記編集されたレイアウトのＸＨＴＭＬ−Ｐｒｉｎｔデータを生成するステップを含むことを特徴とする。
【０００６】
本発明の一実施例において、上記編集するステップは、上記選択された一つ以上のデジタルコンテンツファイルに対するレイアウトを編集するための上記インターフェースを提供するステップと、上記提供されたインターフェースを通じて、上記選択された一つ以上のデジタルコンテンツファイルに対する上記レイアウトを編集するための入力を受信するステップと、を含んでもよい。
【０００７】
本発明の一実施例において、上記インターフェースは、上記レイアウト及び上記選択されたデジタルコンテンツファイルの目録を分離して表示してもよい。
【０００８】
本発明の一実施例において、上記インターフェースは、上記デジタルコンテンツがイメージコンテンツである場合、上記レイアウトは、上記レイアウト内での上記イメージの位置、上記イメージのサイズ、及び上記イメージの回転角度のうち、少なくとも一つを設定して編集されてもよい。
【０００９】
本発明の一実施例において、上記インターフェースは、上記デジタルイメージがテキストコンテンツである場合、上記テキストのコンテンツ、上記レイアウト内での上記テキストの位置、上記テキスト領域のサイズ、及び上記テキストの属性のうち少なくとも一つを設定して編集されてもよい。
【００１０】
本発明の一実施例において、上記インターフェースは、ユーザが上記一つ以上の選択されたデジタルコンテンツファイルの目録からデジタルコンテンツファイルを選択して上記レイアウトが形成されてもよい。
【００１１】
本発明の一実施例において、上記インターフェースは、上記レイアウトを形成する上記デジタルコンテンツのサイズ及び位置が線または領域を利用して表示されてもよい。
【００１２】
本発明の一実施例において、上記インターフェースは、上記選択された一つ以上のデジタルコンテンツファイルの目録を表示する部分にコンテンツが表示され、レイアウトを編集する部分に上記表示されたデジタルコンテンツファイルに対応する識別子が表示されてもよい。
【００１３】
本発明の一実施例において、上記インターフェースは、上記選択された一つ以上のデジタルコンテンツファイルの目録でユーザが特定のデジタルコンテンツファイルを選択すれば、上記選択されたデジタルコンテンツファイルに対応して、レイアウトに設けられたデジタルコンテンツファイルを区別して表示してもよい。
【００１４】
本発明の一実施例において、上記インターフェースは、ユーザが複数の同じデジタルコンテンツファイルをレイアウトに挿入するように構成されてもよい。
【００１５】
本発明の一実施例において、上記インターフェースは、上記レイアウトを形成する各デジタルコンテンツファイルを、ユーザが編集または削除するように構成されてもよい。
【００１６】
本発明の一実施例において、上記デバイスのＸＨＴＭＬ−Ｐｒｉｎｔデータ生成方法は、上記編集されたレイアウトのプレビューをユーザに提供するステップをさらに含んでもよい。
【００１７】
本発明の一実施例において、上記ＸＨＴＭＬ−Ｐｒｉｎｔデータを生成するステップは、上記編集されたレイアウト情報を保存し、上記保存されたレイアウト情報をＸＨＴＭＬ−Ｐｒｉｎｔデータとして生成してもよい。
【００１８】
本発明の一実施例において、上記方法は、上記生成されたＸＨＴＭＬ−Ｐｒｉｎｔデータを印刷するステップをさらに含んでもよい。
【００１９】
本発明の一実施例において、上記デバイスのＸＨＴＭＬ−Ｐｒｉｎｔデータ生成をコンピュータに実行させるためのプログラムを記録したコンピュータ読取可能な記録媒体が提供されてもよい。
【００２０】
上記課題を達成するための本発明の一実施例によるデバイスのＸＨＴＭＬ−Ｐｒｉｎｔデータ生成装置は、一つ以上のデジタルコンテンツファイルを選択するデータ選択部、上記選択された一つ以上のデジタルコンテンツファイルに対するレイアウトを編集するレイアウト編集部、及び上記編集されたレイアウトを適用してＸＨＴＭＬ−Ｐｒｉｎｔデータを生成するデータ生成部を備えることを特徴とする。
【００２１】
本発明の一実施例において、上記レイアウト編集部は、上記選択された一つ以上のデジタルコンテンツファイルのレイアウトをユーザが編集可能なインターフェースを提供するインターフェース提供部と、上記提供されたインターフェースを通じて、上記選択された一つ以上のデジタルコンテンツファイルのレイアウトを編集する入力を受ける編集入力部と、を備えてもよい。
【００２２】
本発明の一実施例において、上記デジタルコンテンツファイルは、上記選択された一つ以上のデジタルコンテンツファイルの目録を表示する部分にコンテンツが表示され、レイアウトを編集する部分に上記表示されたデジタルコンテンツファイルに対応する識別子が表示されてもよい。
【発明の効果】
【００２３】
本発明によるデバイスのＸＨＴＭＬ−Ｐｒｉｎｔデータ生成方法及び装置によれば、デバイス上でユーザがコンテンツに対するレイアウトを編集してＸＨＴＭＬ−Ｐｒｉｎｔデータを生成する。
【００２４】
これにより、ユーザがデバイスでレイアウトを編集するので、ユーザの所望する多様な印刷結果を得ることができる。また、デバイスの制限された環境で、デバイスのリソース消費を抑えつつ、ユーザが容易にレイアウトを編集できるので、ユーザの利便性を向上させることができる。
【発明を実施するための最良の形態】
【００２５】
以下、添付された図面を参照して、本発明によるデバイスの印刷データ生成方法及び装置について詳細に説明する。以下では、ＸＨＴＭＬ−Ｐｒｉｎｔ文書の場合について説明するが、本発明は、ＸＨＴＭＬ文書あるいは他の形式のマークアップ文書にも適用することができる。
【００２６】
図１Ａ及び図１Ｂは、本発明の一実施例によって、デバイスのＸＨＴＭＬ−Ｐｒｉｎｔデータ生成方法を示すフローチャートである。上記方法の一実施例は、本発明が実行されるデバイスの一種類である携帯電話を使用して図３〜図１１で記述される。
【００２７】
まず、デバイスに保存されたイメージコンテンツまたはテキストコンテンツのようなデジタルコンテンツを検索する（ステップ１００）。デジタルコンテンツは、外部に保存されてもよく、記録媒体に保存されてもよく、デバイスは、有線または無線の通信方法による伝送を通じて、このようなデジタルコンテンツを検索してもよい。しかも、デバイスは、プレビュー、サムネイル、該デジタルコンテンツの説明を表示でき、ユーザによって選択されたデジタルコンテンツは、伝送を通じて検索しうる。カメラ内蔵式携帯電話のテキストで表示されるが、本発明の全ての実施例でデバイスが電話である必要はなく、カメラ機能を内蔵する必要もなく、携帯用機器である必要もないということが分かる。
【００２８】
ステップ１００で検索されたデジタルコンテンツファイルのうち、レイアウトの構成に使用するデジタルコンテンツがユーザにより選択される（ステップ１１０）。
【００２９】
図３は、ステップ１１０でユーザからコンテンツ選択の入力を受信するインターフェースを提供するデバイスの一実施例を示す図面である。図５は、コンテンツ選択メニュー３００及び操作メニュー５００を示す図面である。ステップ１１０では、ステップ１００で検索したデジタルコンテンツファイルがコンテンツ選択メニュー３００で表示される。
【００３０】
操作メニュー５００は、ディスプレイされたコンテンツファイルのうち、レイアウトの構成に使用するコンテンツファイルを選択可能にする。操作メニュー５００に設けられた方向ボタン５１０を利用して、ユーザは、デジタルコンテンツの選択を指示し、選択ボタン５２０の信号がユーザから入力されれば、方向ボタン５１０の操作に対応する特定コンテンツファイルが選択される。本発明の他の実施例によれば、タッチスクリーン、ドラグアンドドロップ機能及び／または複数のボタンのように、デバイスに表示されたデジタルコンテンツファイルを選択する他の方法を含みうる。ユーザによって選択されたデジタルコンテンツは、特定の色相の太い実線が外郭に設けられる。しかしながら、選択されたデジタルコンテンツのサムネイルイメージを薄くするように、他の特徴的な手段によって選択されたものが指定されてもよい。取消ボタン５４０は、ユーザによるデジタルコンテンツの選択取消に利用される。ステップ１１０では、複数のデジタルコンテンツファイルが選択され、選択完了ボタン５３０がユーザから選択されれば、ステップ１２０を行う。
【００３１】
ステップ１１０で選択されたデジタルコンテンツファイルを利用して、ユーザは、レイアウトを編集する（ステップ１２０）。図１２Ａは、本発明の一実施例によって、デジタルコンテンツがイメージコンテンツに該当する場合、レイアウトを設定するためにユーザの入力を受信して生成されたレイアウトの編集情報を保存したデータ構造を示す図面である。図１２Ｂは、本発明の一実施例によって、デジタルコンテンツがテキストコンテンツに該当する場合、レイアウトを設定するために、ユーザの入力を受信して生成されたレイアウトの編集情報を保存するデータ構造を示す図面である。ここで、コンテンツ番号（ＩＤ）は、レイアウトを形成するコンテンツボックスによって付与された識別子であって、ＸＨＴＭＬ−Ｐｒｉｎｔデータでクラス名として使われる。
【００３２】
ステップ１２０で編集されたレイアウトをユーザがプレビューできるプレビュースクリーンを提供する（ステップ１３０）。図１３に示されたプレビューメニュー１４００は、ステップ１３０で提供されたプレビュースクリーンの一実施例である。しかしながら、全ての実施例で分離されたプレビュースクリーンの使用が必要であるわけではない。
【００３３】
プレビュースクリーンが提供された後、ユーザからレイアウトの再編集に対して要請があるか否かを判断する（ステップ１４０）。ユーザが図１３に示された操作メニュー１４１０の確認ボタン１４１１を押せば、ユーザからレイアウトの再編集に対する要請がないと判断する。ユーザが取消ボタン１４１２を押せば、ユーザからレイアウトの再編集に対する要請があると判断する。
【００３４】
ステップ１４０で、ユーザからレイアウトの再編集に対する要請があると判断されれば、ステップ１００で検索されたデジタルコンテンツファイルのうち、レイアウトの生成に使われるデジタルコンテンツがユーザにより再選択される（ステップ１１０）。このような方式で、レイアウトの編集（ステップ１２０）が再び行われる。そして、プレビュースクリーンが提供され（ステップ１３０）、ユーザは、レイアウトを再編集できる他の機会を提供される（ステップ１４０）。
【００３５】
ステップ１４０で、ユーザからレイアウトの再編集に対する要請がないと判断されれば、ステップ１２０で編集されたレイアウトを適用してＸＨＴＭＬ−Ｐｒｉｎｔデータを生成する（ステップ１５０）。ステップ１５０では、ステップ１２０で編集されたレイアウト情報を保存する。そして、図１４に示したように、保存されたレイアウト情報をＸＨＴＭＬ−Ｐｒｉｎｔデータとして生成する。図１４で、点線で示された部分の領域は、図１２Ａ及び図１２Ｂに示されたデータ構造をＸＨＴＭＬ−Ｐｒｉｎｔデータとして具現したＸＨＴＭＬ−Ｐｒｉｎｔデータである。
【００３６】
デバイスは、ステップ１５０で生成されたＸＨＴＭＬ−Ｐｒｉｎｔデータをケーブル、接続端子のような有線通信方法、またはブルートゥース（登録商標）、赤外線通信のような無線通信方法を利用して画像形成装置に伝送する（ステップ１６０）。他の実施例では、ＸＨＴＭＬ−Ｐｒｉｎｔデータは、フラッシュメモリのような記録媒体を使用して伝達されてもよい。
【００３７】
ステップ１６０で伝送されたＸＨＴＭＬ−Ｐｒｉｎｔデータを利用して、画像形成装置は印刷作業を行う（ステップ１７０）。しかしながら、画像形成装置は、必ずしもＸＨＴＭＬ−Ｐｒｉｎｔデータを印刷するものではなく、次に印刷するためにＸＨＴＭＬ−Ｐｒｉｎｔデータは保存されるか、またはネットワークを通じた印刷のために他の装置にデータを伝送することもできる。
【００３８】
図１Ｂは、本発明の一実施例によるデバイスのＸＨＴＭＬ−Ｐｒｉｎｔデータ生成方法に関するステップ１２０のフローを示すフローチャートである。
【００３９】
図１Ａのステップ１１０で選択されたデジタルコンテンツに対するレイアウトをユーザが編集できるインターフェースをユーザに提供する（ステップ１１１）。図４は、ユーザがレイアウトを設定できるインターフェースを提供するデバイスの一実施例を示す図面である。図６は、本発明の一実施例によるデバイスのユーザインターフェースを示す図面である。ステップ１１１で提供されたインターフェースは、レイアウト編集インターフェース６００及び操作メニュー６５０を含む。レイアウト編集インターフェース６００は、コンテンツ選択メニュー６１０及び編集メニュー６２０を含む。コンテンツ選択メニュー６１０で、ユーザは、レイアウトの編集作業を行うデジタルコンテンツを選択しうる。操作メニュー６５０の使用によって、レイアウトの編集と関連した作業命令がユーザから入力される。レイアウトを編集するために、デジタルコンテンツを選択するタッチスクリーン及び／またはドラグアンドドロップ機能のようなユーザインターフェースの他の構成が使われてもよい。
【００４０】
ステップ１１１で提供されたインターフェースを通じて、レイアウトに挿入するデジタルコンテンツが選択される（ステップ１１２）。コンテンツ選択メニュー６１０に表示されるデジタルコンテンツファイルの目録で、操作メニュー６５０に設けられた方向ボタン６５１を利用して、ユーザは、レイアウトに挿入する少なくとも一つのデジタルコンテンツファイルを選択する。挿入ボタン６５２が選択されれば、方向ボタン５１０の操作に対応するデジタルコンテンツファイルが選択される。本発明の他の実施例で、デバイスは、デバイスに表示されるデジタルコンテンツファイルを選択する方法として、タッチスクリーン、ドラグアンドドロップ機能または複数のボタンのような他の方法を使用しうる。ここで、コンテンツ選択メニュー６１０は、各デジタルコンテンツファイルを区別して参照するために、図６に示したように、各デジタルコンテンツファイルを数字ラベルまたは特定色相のような識別子と共に表示する。レターラベルまたはファイル名のような他の特徴が各デジタルコンテンツファイルの表示に使われる。また、識別子は、位置が選択されたコンテンツファイルの目録に含まれるコンテンツファイルのそれぞれに対応するために、レイアウトを形成するコンテンツファイルのそれぞれの位置表示に使われる。ユーザがコンテンツ選択メニュー６１０にデジタルコンテンツを追加しようとする場合、ユーザがリスト追加ボタン６５４を押せば、ステップ１１０で提供されたインターフェースが再び提供される。
【００４１】
ステップ１１２で選択されたデジタルコンテンツがレイアウトに挿入される（ステップ１１３）。図７は、複数のデジタルコンテンツファイルをレイアウトに挿入したレイアウト編集インターフェースの一実施例を示す図面である。ステップ１１２で、第１イメージ７０１、第２イメージ７０２及びテキスト７０３が選択されて、図７に示したように、ステップ１１３でレイアウトに挿入される。
【００４２】
ステップ１１３で、レイアウトに挿入されるデジタルコンテンツのサイズ及び位置は、線または面を利用して表示される。デジタルコンテンツを直接的に表示する代わりに、線または面でデジタルコンテンツを表示することによって、デバイスの限定されたリソースが効率的に使われうる。しかしながら、本発明の他の実施例によって、デジタルコンテンツは、直接表示されてもよい。
【００４３】
ユーザがコンテンツ選択メニュー６１０に表示されるデジタルコンテンツファイルの目録で所定のデジタルコンテンツを選択すれば、選択されたコンテンツファイルに対応する、編集メニュー６２０に挿入されたデジタルコンテンツファイルは、その周辺に太い実線を有するコンテンツボックスの外郭が表示されることで、区別されて表現されうる。
【００４４】
ステップ１１３後に、ユーザから設定ボタン６５３の入力有無に基づいて、ユーザからデジタルコンテンツ設定に対する要請があるか否かを判断する（ステップ１１４）。ステップ１１４で、コンテンツの設定に対する要請があると判断されれば、設定に対して要請されたデジタルコンテンツがテキストコンテンツ６２３であるか、またはイメージコンテンツ６２１であるかを判断する（ステップ１１５）。デジタルコンテンツがテキストコンテンツ６２３であれば、ユーザからテキスト６２３のコンテンツ、レイアウトでのテキスト６２３の位置、テキスト６２３の占める空間のサイズ及び／またはテキスト６２３の属性を設定する入力が行われる（ステップ１１６）。また、図１０に示されたテキスト設定メニュー１０００が提供される。テキスト入力ボタン１００２の入力信号が受取られれば、ユーザがデジタルコンテンツ６２３にテキストを入力するためのインターフェースが提供される。位置ボタン１００３の入力が受取られれば、ユーザが方向ボタン１００１を使用してデジタルコンテンツ６２３の位置を設定するための機能が提供される。サイズボタン１００４の入力が受取られれば、ユーザがレイアウトに設けられたデジタルコンテンツ６２３のサイズを設定できる機能が提供される。整列ボタン１００５の入力が受信されれば、ユーザがテキスト６２３を整列できる機能が提供される。色相ボタン１００６の入力が受信されれば、ユーザがテキスト６２３の色相を設定できる機能が提供される。フォントサイズボタン１００７の入力が受信されれば、ユーザがテキスト６２３のフォントに対するサイズを調節できる機能が提供される。スタイルボタン１００８は、ユーザがテキスト６２３のスタイルを設定できる機能を提供する。テキストコンテンツ６２３の設定が完了すれば、ユーザは、完了ボタン１００９を入力する。本発明の他の実施例によれば、デバイスは、テキストコンテンツを設定するために、タッチスクリーン、ドラグアンドドロップ機能またはドロップダウンメニューのような他の方法を含みうる。完了ボタン１００９の入力信号が受信されれば、図１１に提供されたレイアウト設定インターフェース６００及び操作メニュー６５０が表示される。
【００４５】
デジタルコンテンツ６２１,６２２がイメージコンテンツであれば、レイアウトでイメージ６２１,６２２の位置、イメージ６２１,６２２のサイズ及び／またはイメージ６２１,６２２の回転角度を設定するユーザの入力が受取られる（ステップ１１７）。また、図８及び図９に示されたイメージ設定メニュー８００が提供される。回転ボタン８０３の入力が受取られれば、ユーザが挿入されたイメージ６２１,６２２を回転させる機能が提供される。例えば、回転ボタン８０３の入力が受取られる度に、挿入されたイメージ６２１,６２２は、９０°ずつ回転する。ユーザは、方向ボタン８０１を使用して選択されたイメージのサイズまたは位置を調節しうる。ユーザは、選択ボタン８０２を操作して特定イメージコンテンツファイルを調節しうる。また、ユーザは、取消ボタン８０４を入力して取ったアクションを取消すことができる。イメージコンテンツの設定が完了すれば、ユーザは、完了ボタン８０５を入力する。本発明の他の実施例によれば、デバイスは、イメージコンテンツを設定するためにタッチスクリーン、ドラグアンドドロップ機能またはドロップダウンメニューのような他の方法を含んでもよい。完了ボタン８０５の入力信号が受信されれば、図１１に示されたレイアウト編集インターフェース６００及び操作メニュー１０００が表示される。
【００４６】
ステップ１１６またはステップ１１７後に、ユーザから完了ボタン８０５または１００９の入力が受取られれば、図６の削除ボタン６５５の入力信号が受取られるかに基づいて、ユーザからデジタルコンテンツの削除に対する要請有無を判断する（ステップ１１９）。
【００４７】
ユーザからデジタルコンテンツの削除に対する要請があれば、ユーザから削除するデジタルコンテンツを選択した入力が受取られる（ステップ１２１）。ステップ１２１では、コンテンツボックスを方向ボタン６５１によって移動して特定のデジタルコンテンツファイルの選択を指示する。
【００４８】
ステップ１２１で選択されたデジタルコンテンツは、レイアウトから削除される（ステップ１２２）。
【００４９】
ステップ１２２後に、さらに挿入するデジタルコンテンツの有無を判断する（ステップ１２３）。
【００５０】
さらに挿入するコンテンツがあれば、ステップ１１１で提供されたインターフェースを通じて、レイアウトに挿入するデジタルコンテンツの選択入力信号を受取る（ステップ１１２）。
【００５１】
ユーザが完了ボタン６５６を押せば、編集されたレイアウトのプレビューが提供される（ステップ１３０）
【００５２】
図２は、本発明の一実施例によるデバイスでＸＨＴＭＬ−Ｐｒｉｎｔデータを生成する装置を示すブロック図である。デバイスでＸＨＴＭＬ−Ｐｒｉｎｔデータを生成する装置は、コンテンツ保存部２００、コンテンツ検索部２１０、コンテンツ選択部２２０、レイアウト編集部２３０、プレビュー部２４０、データ生成部２５０及び伝送部２６０を備える。全ての実施例で要求されるものではないが、デバイスは、携帯電話、カメラ、モバイルデバイス及び／またはコンピュータでありうる。
【００５３】
コンテンツ保存部２００は、イメージコンテンツ６２１,６２２またはテキストコンテンツ６２３のようなデジタルコンテンツを保存する。コンテンツ検索部２１０は、コンテンツ保存部２００に保存されたデジタルコンテンツを検索する。コンテンツ保存部２００は、ハードディスクドライブ、フラッシュメモリ、ＳＤカード（登録商標）、または他の移動及び／または固定メディアのようなメモリでありうる。コンテンツ選択部２２０は、コンテンツ検索部２１０で検索されたコンテンツファイルのうち、レイアウトを作るのに使われるデジタルコンテンツファイルを選択するユーザの入力を受信する。
【００５４】
レイアウト編集部２３０は、コンテンツ選択部２２０で選択されたデジタルコンテンツファイルを利用して、レイアウトを編集するユーザの入力を受取る。ここで、レイアウト編集部２３０は、インターフェース提供部２３１及び編集入力部２３２を備える。
【００５５】
インターフェース提供部２３１は、コンテンツ選択部２２０で選択されたデジタルコンテンツファイルを利用して、ユーザがレイアウトを編集するインターフェースを提供する。ここで、インターフェースは、コンテンツ選択部２２０で選択されたデジタルコンテンツファイルの目録を表示し、ユーザは、コンテンツ選択部２２０で選択されたデジタルコンテンツファイルに対するレイアウトを編集しうる。デジタルコンテンツがテキストコンテンツ６２３である場合、例えば、テキスト６２３のコンテンツ、レイアウト内でのテキスト６２３の位置、テキスト６２３によって要求される領域のサイズ、及び／またはテキスト６２３の属性を設定して、レイアウトは編集されうる。ここで、テキスト６２３の属性は、例えば、フォントの色相、フォントのサイズ、フォントのスタイルを示している。デジタルコンテンツがイメージコンテンツ６２１,６２２である場合、例えば、レイアウト内でイメージ６２１,６２２の位置、イメージ６２１,６２２のサイズ、及び／またはイメージ６２１,６２２の回転角度を設定してレイアウトが編集されうる。
【００５６】
インターフェース提供部２３１は、レイアウトが編集されるとき、図７に示されたように、レイアウトを形成するデジタルコンテンツのサイズ及び位置を、線または面を利用して表示する。また、数字ラベルまたは色相のような識別子は、レイアウトを形成する各コンテンツファイルの位置表示に使われ、位置は、コンテンツファイルの目録に含まれた各コンテンツファイルに対応する。識別子は、デバイスの処理容量が限定される時に使用される。したがって、イメージは、直接的に表示されず、各コンテンツファイルは、識別子によって区別されうる。そして、ユーザがコンテンツファイルの目録で所定のデジタルコンテンツファイルを選択すれば、選択されたコンテンツファイルに対応する、レイアウト内に配されたコンテンツファイルが特徴的に表示される。ここで、特徴的に表示されるデジタルコンテンツの一実施例では、太い実線を使用してコンテンツボックスの外郭が表示される。
【００５７】
ユーザは、レイアウト内に複数の同じデジタルコンテンツを挿入しうる。また、レイアウトを形成する各デジタルコンテンツファイルは、ユーザによって編集されるか、または設定されうる。編集入力部２３２は、インターフェース提供部２３１から提供されたインターフェースを通じて、ユーザからレイアウトの編集情報を含む入力を受取る。
【００５８】
プレビュー部２４０は、編集入力部２３２を通じて入力されたレイアウトの編集情報を使用して生成された所定形式のレイアウトに先立って、ユーザが確認できる図１３に示されたプレビューメニュー１４００のようなプレビュースクリーンを提供する。ユーザは、プレビュー部２４０によって提供されたプレビュースクリーンを通じてレイアウトを確認し、取消ボタン１４１２を操作してレイアウトを再編集しうる。
【００５９】
データ生成部２５０は、編集入力部２３２によって入力された編集情報を利用して生成されたレイアウトを適用して、ＸＨＴＭＬ−Ｐｒｉｎｔデータを生成する。データ生成部２５０は、編集入力部２３２で編集されたレイアウト情報を保存し、保存されたレイアウト情報をＸＨＴＭＬ−Ｐｒｉｎｔデータとして生成する。図１４で点線で示された部分は、図１２Ａ及び図１２Ｂに示されたデータ構造を、ＸＨＴＭＬ−Ｐｒｉｎｔデータとして適用して出力するレイアウト編集部を表す。
【００６０】
伝送部２６０は、データ生成部２５０で生成されたＸＨＴＭＬ−Ｐｒｉｎｔデータをケーブル、接続端子のような有線通信方法、及び／またはブルートゥース（登録商標）、赤外線通信のような無線通信方法を利用して画像形成装置に伝送する。伝送されたＸＨＴＭＬ−Ｐｒｉｎｔデータを利用して、画像形成装置は、印刷作業またはＸＨＴＭＬ−Ｐｒｉｎｔデータの他の機能を実行可能である。
【００６１】
本発明は、コンピュータ（情報処理装置）読取可能な記録媒体にコンピュータ可読コードとして具現することが可能である。コンピュータ読取可能な記録媒体は、コンピュータシステムによって読取られるデータが保存される全ての種類の記録媒体を含む。コンピュータ読取可能な記録装置の例としては、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＣＤ−ＲＯＭ、磁気テープ、フレキシブルディスク、光データ記録装置がある。
【００６２】
このような本発明に対する理解を助けるために、図面に示された実施例を参照して説明されたが、これは、例示的なものに過ぎず、当業者ならば、これから多様な変形及び均等な他の実施例が可能であるということが分かるであろう。したがって、本発明の真の技術的保護範囲は、特許請求の範囲によって決定されねばならない。
【図面の簡単な説明】
【００６３】
【図１Ａ】本発明によるデバイスのＸＨＴＭＬ−Ｐｒｉｎｔデータ生成方法に関する一実施例を示すフローチャートである。
【図１Ｂ】本発明によるデバイスのＸＨＴＭＬ−Ｐｒｉｎｔデータ生成方法に関するステップ１２０の詳細を示すフローチャートである。
【図２】本発明によるデバイスのＸＨＴＭＬ−Ｐｒｉｎｔデータ生成装置の一実施例を示すブロック図である。
【図３】ステップ１１０で、コンテンツがユーザから選択されるように、インターフェースを提供するモバイルデバイスの一実施例を示す図面である。
【図４】ステップ１１１で、レイアウトをユーザが設定できるインターフェースを提供するモバイルデバイスの一実施例を示す図面である。
【図５】本発明によるデバイスのＸＨＴＭＬ−Ｐｒｉｎｔデータ生成方法及び装置に関するコンテンツ選択メニュー及び操作メニューの実施例を示す図面である。
【図６】ステップ１１１で提供するインターフェースの一実施例を示す図面である。
【図７】複数のコンテンツをレイアウトに挿入したレイアウト編集インターフェースの一実施例を示す図面である。
【図８】複数のコンテンツをレイアウトに挿入したレイアウト編集インターフェースの一実施例を示す図面である。
【図９】複数のコンテンツをレイアウトに挿入したレイアウト編集インターフェースの一実施例を示す図面である。
【図１０】テキストコンテンツに関するレイアウトを編集するインターフェースの一実施例を示す図面である。
【図１１】イメージコンテンツに関するレイアウトを編集するインターフェースの一実施例を示す図面である。
【図１２Ａ】コンテンツがイメージに該当する場合、ステップ１２０でユーザからレイアウトを設定されて生成されたレイアウトの編集情報を保存したデータ構造の一実施例を示す図面である。
【図１２Ｂ】コンテンツがテキストに該当する場合、ステップ１２０でユーザからレイアウトを設定されて生成されたレイアウトの編集情報を保存したデータ構造の一実施例を示す図面である。
【図１３】本発明によるデバイスのＸＨＴＭＬ−Ｐｒｉｎｔデータ生成方法及び装置で提供するプレビューインターフェースの一実施例を示す図面である。
【図１４】図１２Ａ及び図１２Ｂに示されたデータ構造をＸＨＴＭＬ−Ｐｒｉｎｔデータとして具現した一実施例を示す図面である。
【図１Ａ】
2009533749.tif 000003
【図１Ｂ】
2009533749.tif 000004
【図２】
2009533749.tif 000005
【図３】
2009533749.tif 000006
【図４】
2009533749.tif 000007
【図５】
2009533749.tif 000008
【図６】
2009533749.tif 000009
【図７】
2009533749.tif 000010
【図８】
2009533749.tif 000011
【図９】
2009533749.tif 000012
【図１０】
2009533749.tif 000013
【図１１】
2009533749.tif 000014
【図１２Ａ】
2009533749.tif 000015
【図１２Ｂ】
2009533749.tif 000016
【図１３】
2009533749.tif 000017
【図１４】
2009533749.tif 000018
【国際調査報告】
2009533749.tif 000019
2009533749.tif 000020